(57)【要約】【課題】少なくとも音声データをＰ２Ｐで送受信する複数の通信装置を備えた通信システムにおいて、記録するために最適な音声のデータを受信する通信装置を的確に選定することができる通信装置、および記録用音声受信装置の選定方法を提供する。【解決手段】通信システムは、複数のＰＣを備える。各ＰＣは、音声データをＰ２Ｐで相互に送受信することで、各拠点の音声を共有することができる。ＰＣは、自装置を含む通信システム内の複数のＰＣの各々から、各々のＰＣが受信する音声の品質を示す音声パラメータを取得する（Ｓ１，Ｓ９）。ＰＣは、取得した音声パラメータを参照して、通信システム内の複数のＰＣの中から、受信する音声の品質が所定よりも高いＰＣを、情報を記録するために用いられる音声を受信する記録用音声受信装置として選定する（Ｓ１５）。【選択図】図３
2011199327.tif 000002
【特許請求の範囲】
【請求項１】
少なくとも音声データが複数の通信装置間で相互にＰ２Ｐで送受信される通信システムにおいて使用される通信装置であって、
自装置を含む前記複数の通信装置の各々から、各々の通信装置が受信する音声の品質を示す音声パラメータを取得するパラメータ取得手段と、
前記パラメータ取得手段によって取得された音声パラメータを参照して、前記複数の通信装置の中から、受信する音声の品質が所定よりも高い通信装置を、情報を記録するために用いられる音声を受信する記録用音声受信装置として選定する選定手段と
を備えたことを特徴とする通信装置。
【請求項２】
前記音声パラメータは、前記複数の通信装置の各々が受信することができるデータの伝送速度である受信伝送速度を含み、
前記選定手段は、前記パラメータ取得手段によって取得された受信伝送速度が大きい通信装置を、受信する音声の品質が高い通信装置として、前記記録用音声受信装置を選定することを特徴とする請求項１に記載の通信装置。
【請求項３】
前記音声パラメータは、エコーおよびノイズの少なくとも一方を低減する雑音低減手段の有無、および前記雑音低減手段の性能の少なくともいずれかを示す雑音低減情報を含み、
前記選定手段は、前記パラメータ取得手段によって取得された雑音低減情報を参照することで、受信する音声のエコーおよびノイズの少なくとも一方が低減される通信装置を、受信する音声の品質が高い通信装置として、前記記録用音声受信装置を選定することを特徴とする請求項１または２に記載の通信装置。
【請求項４】
前記音声パラメータは、各種データの処理能力を示す処理能力情報を含み、
前記選定手段は、前記パラメータ取得手段によって取得された処理能力情報が示す各種データの処理能力が高い通信装置を、受信する音声の品質が高い通信装置として、前記記録用音声受信装置を選定することを特徴とする請求項１から３のいずれかに記載の通信装置。
【請求項５】
前記複数の通信装置の各々の前記選定手段は、受信する音声の品質が前記複数の通信装置の中で所定よりも高い前記記録用音声受信装置が自装置であるか否かを判断することで、前記記録用音声受信装置が選定されることを特徴とする請求項１から４のいずれかに記載の通信装置。
【請求項６】
各種データの処理能力を示す処理能力情報を、自装置を含む前記通信装置の各々から取得する処理能力取得手段と、
前記複数の通信装置の中から、前記処理能力取得手段によって取得された処理能力情報が示す処理能力が最も高い通信装置を、前記選定手段による前記記録用音声受信装置の選定を行う選定装置として決定する決定手段と、
前記決定手段によって自装置以外の他の通信装置を前記選定装置として決定した場合に、決定した前記選定装置に、前記記録用音声受信装置の選定を行うことを指示する第一指示情報を送信する第一指示送信手段とをさらに備え、
前記選定手段は、前記選定装置として自装置を決定した場合、および他の通信装置から前記第一指示情報を受信した場合に、前記記録用音声受信装置を選定することを特徴とする請求項１から４のいずれかに記載の通信装置。
【請求項７】
前記選定手段によって自装置以外の他の通信装置を前記記録用音声受信装置として選定した場合に、選定した通信装置に、受信した音声を用いて議事録を作成することを指示する第二指示情報を送信する第二指示送信手段と、
自装置の前記選定手段によって自装置が前記記録用音声受信装置に選定された場合、および他の通信装置から前記第二指示情報を受信した場合に、自装置が受信した音声に対して音声認識処理を行いテキストを生成することで議事録を作成する議事録作成手段と
をさらに備えたことを特徴とする請求項６に記載の通信装置。
【請求項８】
前記議事録作成手段によって作成された議事録を他の通信装置に送信する議事録送信手段をさらに備えたことを特徴とする請求項７に記載の通信装置。
【請求項９】
前記パラメータ取得手段によって取得された自装置の音声パラメータを参照して、送受信される音声の品質を向上させる機能の使用をユーザに促す動作を実行する使用勧告手段をさらに備えたことを特徴とする請求項１から８のいずれかに記載の通信装置。
【請求項１０】
少なくとも音声データが複数の通信装置間で相互にＰ２Ｐで送受信される通信システムを構成する通信装置によって行われる記録用音声受信装置の選定方法であって、
自装置を含む前記複数の通信装置の各々から、各々の通信装置が受信する音声の品質を示す音声パラメータを取得するパラメータ取得ステップと、
前記パラメータ取得ステップによって取得された音声パラメータを参照して、前記複数の通信装置の中から、受信する音声の品質が所定よりも高い通信装置を、情報を記録するために用いられる音声を受信する記録用音声受信装置として選定する選定ステップと
を備えたことを特徴とする記録用音声受信装置の選定方法。
【発明の詳細な説明】
【技術分野】
【０００１】
本発明は、少なくとも音声データが複数の通信装置間で相互にＰ２Ｐで送受信される通信システムにおいて使用される通信装置、および記録用音声受信装置の選定方法に関する。
【０００２】
テレビ会議システム等の音声データを送受信する通信システムにおいて、ユーザの発言内容を記録する技術が知られている。例えば、特許文献１は、送受信される音声データに対して音声認識を行うことで、テレビ会議において発言された発言内容を集約して議事録を作成する方法を開示している。
【先行技術文献】
【特許文献】
【０００３】
【特許文献１】特開平１０−２９４７９８号公報
【発明の概要】
【発明が解決しようとする課題】
【０００４】
記録する音声の品質が低いと、音声情報を記録する記録装置は、音声情報を正確に記録できない可能性がある。従って、記録する音声の品質は高いことが望ましい。サーバを介して音声データを送受信する通信システムでは、サーバが受信する高品質の音声情報を記録することができる。しかし、音声データをＰ２Ｐで相互に送受信する複数の通信装置によって通信システムが構成されている場合、各通信装置が受信する音声データの品質が異なる。よって、品質が低い音声のデータを用いて音声情報が記録され、音声情報が不正確になるという問題が一例として挙げられる。
【０００５】
本発明は、少なくとも音声データをＰ２Ｐで送受信する複数の通信装置を備えた通信システムにおいて、記録するために最適な音声のデータを受信する通信装置を的確に選定することができる通信装置、および記録用音声受信装置の選定方法を提供することを目的とする。
【課題を解決するための手段】
【０００６】
本発明の第一の態様に係る通信装置は、少なくとも音声データが複数の通信装置間で相互にＰ２Ｐで送受信される通信システムにおいて使用される通信装置であって、自装置を含む前記複数の通信装置の各々から、各々の通信装置が受信する音声の品質を示す音声パラメータを取得するパラメータ取得手段と、前記パラメータ取得手段によって取得された音声パラメータを参照して、前記複数の通信装置の中から、受信する音声の品質が所定よりも高い通信装置を、情報を記録するために用いられる音声を受信する記録用音声受信装置として選定する選定手段とを備えている。
【０００７】
第一の態様に係る通信装置は、通信システム内の各通信装置が受信する音声の品質を示す音声パラメータに基づいて、品質が所定よりも高い音声を受信する通信装置を記録用音声受信装置として選定することができる。従って、通信システムは、品質が高い音声を用いて正確に情報を記録することができる。
【０００８】
前記音声パラメータは、前記複数の通信装置の各々が受信することができるデータの伝送速度である受信伝送速度を含んでもよい。前記選定手段は、前記パラメータ取得手段によって取得された受信伝送速度が大きい通信装置を、受信する音声の品質が高い通信装置として、前記記録用音声受信装置を選定してもよい。通信装置は、受信可能なデータの伝送速度が大きい通信装置を、受信する音声の品質が高い通信装置とすることで、高品質の音声を受信する通信装置を記録用音声受信装置として適切に選定することができる。
【０００９】
前記音声パラメータは、エコーおよびノイズの少なくとも一方を低減する雑音低減手段の有無、および前記雑音低減手段の性能の少なくともいずれかを示す雑音低減情報を含んでもよい。前記選定手段は、前記パラメータ取得手段によって取得された雑音低減情報を参照することで、受信する音声のエコーおよびノイズの少なくとも一方が低減される通信装置を、受信する音声の品質が高い通信装置として、前記記録用音声受信装置を選定してもよい。通信装置は、エコーおよびノイズの少なくとも一方が低減された音声を受信する通信装置を、高品質の音声を入力する通信装置とすることで、記録用音声受信装置を適切に選定することができる。
【００１０】
前記音声パラメータは、各種データの処理能力を示す処理能力情報を含んでもよい。前記選定手段は、前記パラメータ取得手段によって取得された処理能力情報が示す各種データの処理能力が高い通信装置を、受信する音声の品質が高い通信装置として、前記記録用音声受信装置を選定してもよい。各種データの処理能力が高い通信装置は、音声データの欠損および処理遅延等の不具合が発生する可能性が低いため、高品質の音声を受信することができる。従って、通信装置は、処理能力情報を用いることで、高品質の音声を受信する通信装置を記録用音声受信装置として適切に選定することができる。
【００１１】
前記複数の通信装置の各々の前記選定手段は、受信する音声の品質が前記複数の通信装置の中で所定よりも高い前記記録用音声受信装置が自装置であるか否かを判断することで、前記記録用音声受信装置が選定されてもよい。記録用音声受信装置が自装置であるか否かを各通信装置が判断することで、通信システムは、システム内で高品質の音声を受信することができる記録用音声受信装置を的確に選定することができる。
【００１２】
前記通信装置は、各種データの処理能力を示す処理能力情報を、自装置を含む前記通信装置の各々から取得する処理能力取得手段と、前記複数の通信装置の中から、前記処理能力取得手段によって取得された処理能力情報が示す処理能力が最も高い通信装置を、前記選定手段による前記記録用音声受信装置の選定を行う選定装置として決定する決定手段と、前記決定手段によって自装置以外の他の通信装置を前記選定装置として決定した場合に、決定した前記選定装置に、前記記録用音声受信装置の選定を行うことを指示する第一指示情報を送信する第一指示送信手段とをさらに備えてもよい。前記選定手段は、前記選定装置として自装置を決定した場合、および他の通信装置から前記第一指示情報を受信した場合に、前記記録用音声受信装置を選定すればよい。通信システムの中で各種データの処理能力が最も高い通信装置のみが記録用音声受信装置を選定することになり、システム内の他の通信装置は選定処理を行う必要はない。従って、通信装置は、処理能力が低い通信装置の処理負担が増大することを防止することができる。よって、通信システムは、記録用音声受信装置を円滑に選定することができる。
【００１３】
前記通信装置は、前記選定手段によって自装置以外の他の通信装置を前記記録用音声受信装置として選定した場合に、選定した通信装置に、受信した音声を用いて議事録を作成することを指示する第二指示情報を送信する第二指示送信手段と、自装置の前記選定手段によって自装置が前記記録用音声受信装置に選定された場合、および他の通信装置から前記第二指示情報を受信した場合に、自装置が受信した音声に対して音声認識処理を行いテキストを生成することで議事録を作成する議事録作成手段とをさらに備えてもよい。通信システムは、システム内の各通信装置が受信する音声のうち品質が高い音声を用いて、テキスト化された議事録を作成することができる。従って、通信システムは、音声情報を正確に文字で記録することができる。
【００１４】
前記通信装置は、前記議事録作成手段によって作成された議事録を他の通信装置に送信する議事録送信手段をさらに備えてもよい。各通信装置を使用している複数のユーザは、精度良く作成された議事録を容易に共有することができる。
【００１５】
前記通信装置は、前記パラメータ取得手段によって取得された自装置の音声パラメータを参照して、送受信される音声の品質を向上させる機能の使用をユーザに促す動作を実行する使用勧告手段をさらに備えてもよい。通信装置は、自装置の音声パラメータに応じて、音声の品質を向上させる機能の使用を適切にユーザに促すことができる。従って、通信システムは、より品質が高い音声を用いて音声情報を記録することができる。
【００１６】
本発明の第二の態様に係る記録用音声受信装置の選定方法は、少なくとも音声データが複数の通信装置間で相互にＰ２Ｐで送受信される通信システムを構成する通信装置によって行われる記録用音声受信装置の選定方法であって、自装置を含む前記複数の通信装置の各々から、各々の通信装置が受信する音声の品質を示す音声パラメータを取得するパラメータ取得ステップと、前記パラメータ取得ステップによって取得された音声パラメータを参照して、前記複数の通信装置の中から、受信する音声の品質が所定よりも高い通信装置を、情報を記録するために用いられる音声を受信する記録用音声受信装置として選定する選定ステップとを備えている。
【００１７】
第二の態様に係る記録用音声受信装置の選定方法によると、通信装置は、通信システム内の各通信装置が受信する音声の品質を示す音声パラメータに基づいて、品質が所定よりも高い音声を受信する通信装置を記録用音声受信装置として選定することができる。従って、通信システムは、品質が高い音声を用いて正確に情報を記録することができる。
【図面の簡単な説明】
【００１８】
【図１】通信システム１００のシステム構成を示す図である。
【図２】ＰＣ１の電気的構成を示すブロック図である。
【図３】ＰＣ１が実行する会議処理のフローチャートである。
【図４】ＨＤＤ１３の音声パラメータ記憶エリアに記憶されている音声パラメータを説明するための説明図である。
【図５】会議処理中に実行される選定装置決定処理のフローチャートである。
【図６】会議処理中に実行される選定処理のフローチャートである。
【図７】図４に示す４つのＰＣ１の音声パラメータから判断される、各ＰＣ１の受信音声の品質を説明するための説明図である。
【図８】変形例に係るＰＣ１が実行する会議処理のフローチャートである。
【発明を実施するための形態】
【００１９】
以下、本発明の通信装置を具現化した一実施の形態であるパーソナルコンピュータ（以下、「ＰＣ」という。）１、および複数のＰＣ１を備えた通信システム１００について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００２０】
図１を参照して、通信システム１００のシステム構成について説明する。通信システム１００は、複数のＰＣ１を備える。各ＰＣ１は、インターネット等のネットワーク８を介して、他のＰＣ１との間でデータを送受信する。詳細には、ＰＣ１は、他のＰＣ１のそれぞれとの間で、サーバ等を介さずにＰ２Ｐ（ｐｅｅｒ  ｔｏ  ｐｅｅｒ）でデータを送受信することができる。なお、本発明における通信装置として用いることができるのはＰＣ１に限られず、他の通信装置とＰ２Ｐでデータを送受信できるものであればよい。例えば、テレビ会議を実行するために各拠点に配置される専用のテレビ会議端末等を、本発明における通信装置として用いることも可能である。
【００２１】
通信システム１００は、音声および映像を用いた遠隔会議を実行するためのテレビ会議システムである。各ＰＣ１は、自拠点のマイク３１（図２参照）によって入力した音声のデータ、およびカメラ３３によって入力した映像のデータを、他のＰＣ１に送信する。各ＰＣ１は、他のＰＣ１から受信したデータに基づいて、他の拠点の音声をスピーカ３２（図２参照）から出力し、且つ他の拠点の映像を表示装置３４に表示させる。その結果、複数の拠点の音声および映像が、通信システム１００内で共有される。よって、通信システム１００によると、全てのユーザが同一の拠点にいない場合でも、ユーザは円滑に会議を実行することができる。
【００２２】
通信システム１００は、遠隔会議の議事録を作成することができる。詳細には、ＰＣ１は、他のＰＣ１から受信した音声のデータ、および自拠点のマイク３１（図２参照）から入力した音声のデータに対して、周知の音声認識処理を行う。すなわち、ＰＣ１は、会議中に他の拠点および自拠点のユーザが発した音声のデータに対して音声認識処理を行い、音声情報をテキスト化することで、遠隔会議の議事録を自動的に作成する。ユーザは、遠隔会議の終了後であっても、遠隔会議の内容を文字によって容易に把握することができる。
【００２３】
通信システム１００では、音声データはＰ２Ｐで相互に送受信されるため、各ＰＣ１が受信する音声の品質は異なる。品質が低い音声のデータに対して音声認識処理を行うと、音声を正確にテキスト化できない可能性がある。ＰＣ１は、通信システム１００が備える複数のＰＣ１のうち、議事録を作成するために最適な音声データを受信するＰＣ１を的確に選定し、正確な議事録を作成できる点に特徴を有する。なお、ＰＣ１は、実際にはデータ化された音声を他のＰＣ１から受信する。「音声の品質」とは、本実施の形態では、受信した音声のデータによって再生される音声の品質となる。しかし、以下では、「受信した音声のデータによって再生される音声の品質」を簡略化して「受信する音声の品質」という場合もある。
【００２４】
図２を参照して、ＰＣ１の電気的構成について説明する。ＰＣ１は、ＰＣ１の制御を司るＣＰＵ１０を備えている。ＣＰＵ１０には、ＲＯＭ１１、ＲＡＭ１２、ハードディスクドライブ（以下、「ＨＤＤ」という。）１３、および入出力インターフェース１９が、バス１８を介して接続されている。
【００２５】
ＲＯＭ１１は、ＰＣ１を動作させるためのプログラムおよび初期値等を記憶している。ＲＡＭ１２は、制御プログラムで使用される各種の情報を一時的に記憶する。ＨＤＤ１３は、制御プログラム等の各種の情報を記憶する不揮発性の記憶装置である。具体的には、ＨＤＤ１３には、音声認識を行うための音響モデル、言語モデル、および単語辞書が記憶されている。ＣＰＵ１０は、議事録を作成するための音声を受信する記録用音声受信装置として選定されると、音声データを分析し、特徴量を抽出した後、音響モデルと言語モデルとのマッチングを行う。その結果、言語モデルで受理可能な文毎に尤度が求まり、尤度が最も高い文が認識結果として得られる。マッチングの際、言語モデルは単語辞書を参照する。尤度が規定の閾値以下の値になった場合には、認識失敗として認識結果は得られない。ＣＰＵ１０は、音声認識の結果得られたテキストを議事録としてＨＤＤ１３に記憶し、且つ他のＰＣ１に送信する。ＨＤＤ１３には、後述する音声パラメータ（図４参照）等も記憶されるが、この詳細は後述する。ＨＤＤ１３の代わりに、ＥＥＰＲＯＭまたはメモリカード等の記憶装置を用いてもよい。
【００２６】
入出力インターフェース１９には、音声入力処理部２１、音声出力処理部２２、映像入力処理部２３、映像出力処理部２４、操作入力処理部２５、および外部通信Ｉ／Ｆ２６が接続されている。音声入力処理部２１は、音声を入力するマイク３１からの音声データの入力を処理する。音声出力処理部２２は、音声を出力するスピーカ３２の動作を処理する。映像入力処理部２３は、映像を撮像するカメラ３３からの動画データの入力を処理する。映像出力処理部２４は、映像を表示する表示装置３４の動作を処理する。操作入力処理部２５は、キーボードおよびマウス等の操作部３５から入力されるデータを処理する。外部通信Ｉ／Ｆ２６は、ＰＣ１をネットワーク８に接続する。
【００２７】
以下、図３から図７を参照して、ＰＣ１が実行する会議処理について説明する。ユーザが操作部３５を操作し、テレビ会議を実行する指示を入力すると、ＰＣ１のＣＰＵ１０は、ＨＤＤ１３に記憶されているプログラムに従って会議処理を実行する。図３に示すように、会議処理が開始されると、自装置の音声パラメータが取得される（Ｓ１）。
【００２８】
図４に、ＨＤＤ１３の音声パラメータ記憶エリアに記憶されている音声パラメータの一例を示す。音声パラメータとは、各ＰＣ１が他のＰＣ１から受信する音声の品質を示すパラメータである。本実施の形態では、「ＣＰＵクロック数」、「帯域」における「上り」（以下、「上り帯域」という。）、「帯域」における「下り」（以下、「下り帯域」という。）、「雑音低減（送信）」における「エコーキャンセラ有無」、「雑音低減（送信）」における「ノイズキャンセラ有無／低減性能」、「雑音低減（受信）」における「エコーキャンセラ有無」、「雑音低減（受信）」における「ノイズキャンセラ有無／低減性能」、およびイヤホン接続有無が、音声パラメータとして取得される。
【００２９】
「ＣＰＵクロック数」は、ＰＣ１が備えるＣＰＵ１０のクロック数（単位：ＧＨｚ）であり、各ＰＣ１のＨＤＤ１３にあらかじめ記憶されている。ＣＰＵクロック数は、ＰＣ１における各種データの処理能力を示す値として参照される。なお、ＣＰＵのモデル番号、物理コア数、論理コア数、キャッシュ段数、キャッシュ容量等の情報の少なくともいずれかを、ＰＣ１の処理能力を示す値として用いることも可能である。ＣＰＵのモデル番号等の上記の情報を用いることで、ＰＣ１の処理能力をより正確に判定することができる。
【００３０】
「上り帯域」は、ＰＣ１が単位時間当たりにネットワーク８に送信できる最大のデータ容量である。「下り帯域」は、ＰＣ１が単位時間当たりにネットワーク８を介して受信できる最大のデータ容量である。帯域と、各ＰＣ１間におけるデータの伝送速度とを比較するため、帯域を伝送路容量（Ｍｂｐｓ）で表す。ＰＣ１は、データを受信する際に使用される帯域（以下、「受信帯域」という。）が大きい程、容量の大きい音声データ、つまり、高品質の音声を再生できるデータを受信することができる。本実施の形態では、各ＰＣ１は、データをテスト送信して帯域を計測する周知の手法を利用し、自装置の上り帯域および下り帯域の値を取得する。しかし、ＰＣ１は、あらかじめ記憶された値（例えば、理論値）を帯域の値として取得してもよい。なお、送受信できる最大のデータ容量を「上り帯域」および「下り帯域」とする必要はない。データを送受信する際のデータ容量の平均値または最低値を、「上り帯域」および「下り帯域」の音声パラメータとして用いることも可能である。
【００３１】
「雑音低減（送信）」における「エコーキャンセラ有無」は、送信する音声データに含まれるエコーを低減する機能の有無を示す。「雑音低減（送信）」における「ノイズキャンセラ有無／低減性能」は、送信する音声データに含まれるノイズ（雑音）を低減する機能の有無と、機能を有する場合のノイズの低減性能とを示す。送信側のＰＣ１が、送信する音声データに含まれるエコーおよびノイズを低減すれば、受信側のＰＣ１は高品質の音声のデータを受信できる。従って、ＰＣ１が受信する音声の品質は、他のＰＣ１の「雑音低減（送信）」における「エコーキャンセラ有無」および「ノイズキャンセラ有無／低減性能」に影響される。「雑音低減（受信）」における「エコーキャンセラ有無」は、受信する音声データに含まれるエコーを低減する機能の有無を示す。「雑音低減（受信）」における「ノイズキャンセラ有無／低減性能」は、受信する音声データに含まれるノイズを低減する機能の有無と、機能を有する場合のノイズの低減性能とを示す。ＰＣ１が受信する音声の品質は、自装置の「雑音低減（受信）」における「エコーキャンセラ有無」および「ノイズキャンセラ有無／低減性能」に影響される。以下では、説明を簡略化するため、ノイズキャンセラはノイズを純粋にｎ％低減できると仮定し、ノイズの低減性能を「ｎ（％）」で表す。エコーキャンセラおよびノイズキャンセラは、専用の集積回路（ＩＣ）であってもよいし、ＣＰＵ１０がエコーキャンセラおよびノイズキャンセラの機能を実行してもよい。
【００３２】
「イヤホン接続有無」は、ＰＣ１にイヤホンが接続されているか否かを示す。ユーザがイヤホンを使用して音声を聞く場合には、スピーカ３２の音声を聞く場合とは異なり、イヤホンから出力された音声がマイク３１に入力される可能性は低い。従って、イヤホンが接続されていれば、エコーが生じる可能性が低下し、他のＰＣ１に送信する音声の品質が向上する。よって、ＰＣ１が受信する音声の品質は、他のＰＣ１の「イヤホン接続有無」に影響される。
【００３３】
図３の説明に戻る。自装置の音声パラメータが取得されると（Ｓ１）、取得された自装置の音声パラメータによって、自装置にイヤホンが接続されているか否かが判断される（Ｓ２）。イヤホンが接続されていなければ（Ｓ２：ＮＯ）、イヤホン接続勧告画面が表示装置３４に表示される（Ｓ３）。イヤホン接続勧告画面は、ユーザにイヤホンの使用を促すメッセージ、および、イヤホンを使用する場合にはエコーキャンセラをＯＦＦとするように促すメッセージを表示する画面である。具体的には、本実施の形態では、「イヤホンを使用した方が、音声の品質が向上します。イヤホンを使用する場合には、エコーが生じる可能性が低いため、エコーキャンセラはＯＦＦにする方が望ましいです。」という旨のメッセージが表示される。前述したように、ユーザがイヤホンを使用すれば、エコーが生じる可能性は低下するため、エコーキャンセラを動作させなくてもよい。イヤホンが使用されている場合、ユーザは、送信する音声データのエコーを低減するエコーキャンセラをＯＦＦとすることで、ＰＣ１にかかる処理負担を低下させることができる。ＰＣ１にかかる処理負担が低下すれば、処理遅延およびデータの欠損等が生じる可能性が低下するため、音声の品質が向上する。よって、ＰＣ１は、イヤホン接続勧告画面を表示することで、音声の品質を向上させるための適切な動作をユーザに通知することができる。なお、自装置がエコーキャンセラを備えていなければ、ＣＰＵ１０は、イヤホンの使用を促すメッセージのみを表示装置３４に表示させる。
【００３４】
自装置にイヤホンが接続されていれば（Ｓ２：ＹＥＳ）、エコーキャンセラＯＦＦ勧告画面が表示装置３４に表示される（Ｓ４）。エコーキャンセラＯＦＦ勧告画面では、「イヤホンが接続されているため、エコーが生じる可能性は低いです。エコーキャンセラをＯＦＦにして、ＰＣにかかる負担を減らしましょう。」という旨のメッセージが表示される。なお、イヤホンが接続されている場合でも、自装置がエコーキャンセラを備えていなければ、メッセージは表示されない。ＣＰＵ１０は、音声およびランプ等を用いることで、適切な動作をユーザに通知してもよい。
【００３５】
自装置が、複数のＰＣ１のうち、遠隔会議を開始させるために最初にネットワーク８に接続したＰＣ１であるか否かが判断される（Ｓ６）。他のＰＣ１が既にネットワーク８に接続しており、他のＰＣ１から遠隔会議が開始されたと判断された場合には（Ｓ６：ＮＯ）、処理はそのままＳ８へ移行する。自装置から遠隔会議が開始される場合には（Ｓ６：ＹＥＳ）、選定実行フラグが「ＯＮ」とされる（Ｓ７）。選定実行フラグは、記録用音声受信装置を選定する選定装置が自装置であるか否かを示すフラグである。前述したように、通信システム１００では、複数のＰＣ１のうち、品質が高い音声を受信するＰＣ１が、議事録を作成するための音声を受信する記録用音声受信装置として選定される。本実施の形態では、各種データの処理性能が最も高いＰＣ１が、記録用音声受信装置を選定する処理を行う。ＰＣ１は、選定実行フラグが「ＯＮ」とされている場合にのみ、記録用音声受信装置を選定する処理を行う。遠隔会議開始時には、最初にネットワーク８に接続したＰＣ１が選定実行フラグを「ＯＮ」とし、暫定的に選定装置となる。
【００３６】
次いで、選定装置を決定するための処理が行われる。まず、自装置を含むいずれかのＰＣ１が、通信システム１００に新たに接続したか否かが判断される（Ｓ８）。接続していなければ（Ｓ８：ＮＯ）、処理はそのままＳ１２の判断へ移行する。いずれかのＰＣ１が新たに接続した場合には（Ｓ８：ＹＥＳ）、各ＰＣ１の音声パラメータが送受信される（Ｓ９）。詳細には、自装置の音声パラメータが通信システム１００内の他のＰＣ１に送信され、他のＰＣ１から音声パラメータが受信される。受信されたパラメータは、ＨＤＤ１３の音声パラメータ記憶エリア（図４参照）に記憶される。自装置が暫定的な選定装置とされているか否かが判断される（Ｓ１０）。選定実行フラグが「ＯＦＦ」となっており、自装置が暫定的な選定装置でないと判断された場合には（Ｓ１０：ＮＯ）、処理はそのままＳ１２の判断へ戻る。選定実行フラグが「ＯＮ」となっている場合には（Ｓ１０：ＹＥＳ）、選定装置決定処理が行われて（Ｓ１１）、処理はＳ１２の判断へ移行する。
【００３７】
図５に示すように、選定装置決定処理では、音声パラメータ記憶エリア（図４参照）に記憶されている情報のうち、自装置を含む全てのＰＣ１のＣＰＵクロック数が参照される。通信システム１００内の複数のＰＣ１のうち、ＣＰＵ性能が最も高い（ＣＰＵクロック数の値が最も大きい）ＰＣ１が、次の暫定的な選定装置として決定される（Ｓ２１）。ＣＰＵ性能が最も高いＰＣ１が複数存在する場合には、ＣＰＵ１０は、ランダムに１つの選定装置を決定してもよいし、所定のアルゴリズムに従って１つの選定装置を決定してもよい。例えば、ＣＰＵ１０は、ＣＰＵ性能が最も高い複数のＰＣ１のうち、通信システム１００に最も早く接続したＰＣ１を選定装置として決定してもよい。
【００３８】
次の暫定的な選定装置として決定されたＰＣ１が自装置であるか否かが判断される（Ｓ２２）。自装置でなければ（Ｓ２２：ＮＯ）、暫定的な決定装置を自装置から他のＰＣ１に交代する必要がある。よって、選定実行フラグが「ＯＦＦ」とされる（Ｓ２３）。次の暫定的な選定装置に、選定装置に決定されたことを示す選定指示情報が送信される（Ｓ２４）。処理は会議処理へ戻る。次の暫定的な選定装置として決定されたＰＣ１が自装置であれば（Ｓ２２：ＹＥＳ）、暫定的な決定装置は自装置のままであるため、処理はそのまま会議処理へ戻る。
【００３９】
図３の説明に戻る。他のＰＣ１から選定指示情報を受信したか否かが判断される（Ｓ１２）。選定指示情報を受信した場合には（Ｓ１２：ＹＥＳ）、選定実行フラグが「ＯＮ」とされ、自装置が暫定的に選定装置とされる（Ｓ１３）。選定指示情報を受信していなければ（Ｓ１２：ＮＯ）、処理はそのままＳ１４の判断へ移行する。遠隔会議の開始指示が入力されたか否かが判断される（Ｓ１４）。遠隔会議に参加するユーザの１人が、自らが使用するＰＣ１の操作部３５を操作して遠隔会議の開始指示を入力すると、ＰＣ１は、通信システム１００内の他のＰＣ１に開始指示を出力する。他のＰＣ１または自装置の操作部３５から遠隔会議の開始指示が入力されていなければ（Ｓ１４：ＮＯ）、処理はＳ８の判断へ戻り、Ｓ８，Ｓ１２，Ｓ１４の判断が繰り返される。開始指示が入力されると（Ｓ１４：ＹＥＳ）、選定処理が行われる（Ｓ１５）。選定処理では、通信システム１００内の複数のＰＣ１のうち、品質が高い音声を受信するＰＣ１が、議事録を作成するための音声を受信する記録用音声受信装置として選定される。
【００４０】
図６に示すように、選定処理が開始されると、自装置が選定装置とされているか否かが、選定実行フラグによって判断される（Ｓ３１）。選定実行フラグが「ＯＮ」となっており、自装置が選定装置とされている場合には（Ｓ３１：ＹＥＳ）、音声パラメータ記憶エリア（図４参照）に記憶されている各ＰＣ１の音声パラメータに基づいて、記録用音声受信装置が選定される。まず、最低限のＣＰＵ性能を有さないＰＣ１が、記録用音声受信装置に選定される候補から除外される（Ｓ３２）。データとして受信した時点の音声の品質が高い場合でも、ＰＣ１のＣＰＵ性能が低すぎる場合には、処理遅延、データの欠損等が生じて音声の品質が低下する可能性がある。従って、ＰＣ１は、ＣＰＵクロック数が閾値未満であるＰＣ１を候補から除外する。つまり、本実施の形態における「受信する音声の品質」とは、ＰＣ１が他のＰＣ１からデータとして受信した時点の音声の品質のみを示すものではない。「受信する音声の品質」とは、受信したデータの記憶装置への記憶、受信したデータに対する音声認識処理、および受信したデータの他の機器への送信のいずれかが行われる時点における音声の品質も含む。次いで、ＣＰＵ性能が閾値以上であるＰＣ１のうち、受信帯域の最低値が最も高いＰＣ１が特定される（Ｓ３３）。
【００４１】
図７は、図４に示す４つのＰＣ１の音声パラメータから判断される、各ＰＣ１の受信音声の品質を説明するための説明図である。図７の表の左側は、各ＰＣ１におけるデータ送信時の音声パラメータを示す。図７の表の上側は、各ＰＣ１におけるデータ受信時の音声パラメータを示す。例えば、拠点ＡのＰＣ１の「上り帯域」は１．４Ｍｂｐｓである。従って、拠点Ｂ，Ｃ，ＤのＰＣ１は、「下り帯域」の値が１．４以上ではあるが、拠点ＡのＰＣ１からは１．４Ｍｂｐｓでしかデータを受信できない。一方、拠点ＤのＰＣ１は３５Ｍｂｐｓでデータを送信できるが、拠点ＡのＰＣ１の「下り帯域」は３５Ｍｂｐｓよりも小さい７．４Ｍｂｐｓである。よって、拠点ＡのＰＣ１は、拠点ＤのＰＣ１から７．４Ｍｂｐｓでしかデータを受信できない。つまり、送信側のＰＣ１の「上り帯域」の値、および受信側のＰＣ１の「下り帯域」の値のうち小さい値が、受信側のＰＣ１の受信帯域となる。受信帯域の値が小さければ、送信側のＰＣ１は、送信する音声データの伝送速度を小さくしなければならないため、受信側のＰＣ１における受信音声の品質は低下する。仮に、送信側のＰＣ１が受信帯域を越える伝送速度でデータを送信しても、データの損失が生じて音声の品質は低下する。従って、Ｓ３３では、受信帯域の最低値が最も高いＰＣ１が、記録用音声受信装置に選定される候補として特定される。図７に示す例では、拠点ＣのＰＣ１の受信帯域の最低値「１．４」が、他の拠点のＰＣ１の受信帯域の最低値「１」よりも大きいため、拠点ＣのＰＣ１が特定される。
【００４２】
特定されたＰＣ１が複数であるか否かが判断される（Ｓ３４）。特定されたＰＣ１が１つであれば（Ｓ３４：ＮＯ）、特定された１つのＰＣ１が記録用音声受信装置に選定される（Ｓ３５）。
【００４３】
特定されたＰＣ１が複数であれば（Ｓ３４：ＹＥＳ）、各ＰＣ１におけるデータ受信時の音声パラメータによって、受信した音声データに対する雑音低減手段を有するＰＣ１が特定される（Ｓ３６）。図７に示す例では、拠点ＣのＰＣ１および拠点ＤのＰＣ１が、受信した音声データに対するノイズキャンセラを有する。
【００４４】
特定されたＰＣ１が複数であるか否かが判断される（Ｓ３７）。１つであれば（Ｓ３７：ＮＯ）、特定された１つのＰＣ１が記録用音声受信装置に選定される（Ｓ３５）。特定されたＰＣ１が未だに複数であれば（Ｓ３７：ＹＥＳ）、受信した音声データに対する雑音低減性能が最も高いＰＣ１が特定される（Ｓ３８）。特定されたＰＣ１が、記録用音声受信装置に選定される（Ｓ３５）。例えば、図７に示す例における拠点ＢのＰＣ１は、送信する音声データに対するノイズキャンセラを有さない。従って、拠点Ａ，Ｃ，ＤのＰＣ１は、ノイズが除去されていない音声データ（図中、「＋ｎｏｉｓｅ（１００％）」と表記する）を、拠点ＢのＰＣ１から受信する。しかし、拠点Ｃおよび拠点ＤのＰＣ１は、受信した音声データに含まれるノイズを低減できる。従って、拠点ＣのＰＣ１が受信した音声データのノイズは、５０％に低減される（図中、「＋ｎｏｉｓｅ（５０％）」と表記する）。拠点ＤのＰＣ１も、受信した音声データのノイズを低減できるが、低減性能は２０％であるため、残存するノイズ（８０％）は拠点Ｃにおけるノイズよりも多い。つまり、受信した音声データに対する雑音低減性能が高い程、高品質の音声を受信できる。
【００４５】
なお、Ｓ３８の処理を経ても複数のＰＣ１が特定される場合には、ＣＰＵ１０は、複数のＰＣ１のうちの１つをランダムに選択し、選択したＰＣ１を記録用音声受信装置に選定する。しかし、ＣＰＵ１０は、複数のＰＣ１を記録用音声受信装置に選定してもよい。ＣＰＵ１０は、各ＰＣ１のＣＰＵクロック数等の他の音声パラメータを用いて、記録用音声受信装置の数をさらに絞り込んでもいい。
【００４６】
記録用音声受信装置が選定されると（Ｓ３５）、自装置を記録用音声受信装置に選定したか否かが判断される（Ｓ３９）。自装置を選定した場合には（Ｓ３９：ＹＥＳ）、自装置が他のＰＣ１から受信した音声データ、および自装置のマイク３１から入力した音声データによる議事録の作成が開始されて（Ｓ４０）、処理は会議処理へ戻る。前述したように、議事録は、受信した音声データに対して音声認識が行われることで作成される。作成された議事録は、ＨＤＤ１３に記憶される。
【００４７】
ＣＰＵ１０は、自装置以外の他のＰＣ１を記録用音声受信装置に選定した場合には（Ｓ３９：ＮＯ）、選定した記録用音声受信装置に、議事録作成指示情報を送信する（Ｓ４１）。議事録作成指示情報とは、記録用音声受信装置に対して、記録用音声受信装置が受信した音声データから議事録を作成する指示を行うための情報である。次いで、記録用音声受信装置以外の他のＰＣ１に、会議開始を指示するための情報が送信されて（Ｓ４２）、処理は会議処理へ戻る。
【００４８】
次いで、自装置が選定装置とされていない場合の処理について説明する。選定実行フラグが「ＯＦＦ」となっており、自装置が選定装置とされていないと判断されると（Ｓ３１：ＮＯ）、他のＰＣ１の１つである選定装置から議事録作成指示情報を受信したか否かが判断される（Ｓ４４）。受信していなければ（Ｓ４４：ＮＯ）、会議開始指示を受信したか否かが判断される（Ｓ４５）。受信していなければ（Ｓ４５：ＮＯ）、処理はＳ４４の判断へ戻り、Ｓ４４およびＳ４５の判断が繰り返される。会議開始指示を受信する前に議事録作成指示情報を受信した場合には（Ｓ４４：ＹＥＳ）、議事録の作成が開始されて（Ｓ４０）、処理は会議処理へ戻る。会議開始指示を受信した場合には（Ｓ４５：ＹＥＳ）、処理はそのまま会議処理へ戻る。
【００４９】
図３の説明に戻る。選定処理（Ｓ１５）が終了すると、音声データおよび映像データが複数のＰＣ１間で相互に送受信されて、遠隔会議が実行される（Ｓ１６）。遠隔会議中、記録用音声受信装置に選定されたＰＣ１は、議事録を作成する。会議終了の指示が入力されたか否かが判断され（Ｓ１７）、入力されていなければ（Ｓ１７：ＮＯ）、遠隔会議が継続される（Ｓ１６）。自装置の操作部３５、または他のＰＣ１から会議終了の指示が入力されると（Ｓ１７：ＹＥＳ）、作成された議事録が配布される（Ｓ１８）。詳細には、自装置が記録用音声受信装置であれば、ＣＰＵ１０は、作成した議事録のデータを他のＰＣ１に送信する。自装置が記録用音声受信装置でなければ、ＣＰＵ１０は、他のＰＣ１から送信される議事録のデータを受信し、ＨＤＤ１３に記憶する。処理は終了する。
【００５０】
以上説明したように、本実施の形態に係るＰＣ１は、通信システム１００内の各ＰＣ１が受信する音声の品質を示す音声パラメータに基づいて、品質が高い音声を受信するＰＣ１を記録用音声受信装置として選定することができる。従って、通信システム１００は、品質が高い音声を用いて正確に情報を記録することができる。詳細には、ＰＣ１は、受信可能なデータの伝送速度である受信帯域が大きいＰＣ１を、受信する音声の品質が高いＰＣ１とすることで、記録用音声受信装置を適切に選定することができる。ＰＣ１は、エコーおよびノイズの少なくとも一方が低減された音声を受信するＰＣ１を、高品質の音声を入力するＰＣ１とすることで、記録用音声受信装置を適切に選定することができる。ＰＣ１は、各ＰＣ１のデータ処理能力を示すＣＰＵクロック数を用いることで、高品質の音声を受信するＰＣ１を適切に選定することができる。
【００５１】
本実施の形態の通信システム１００では、システム内でデータ処理能力が最も高いＰＣ１のみが記録用音声受信装置を選定することになり、システム内の他のＰＣ１は選定処理を行う必要がない。従って、ＰＣ１は、処理能力が低いＰＣ１の処理負担が増大することを防止することができる。よって、通信システム１００は、記録用音声受信装置を円滑に選定することができる。
【００５２】
記録用音声受信装置として選定されたＰＣ１は、通信システム１００内の各ＰＣ１が受信する音声のうち品質が高い音声を用いて、テキスト化された議事録を作成することができる。従って、通信システム１００は、遠隔会議の内容を文字で正確に記録することができる。議事録を作成したＰＣ１は、作成した議事録をシステム内の他のＰＣ１に送信することができる。よって、複数のユーザが、精度良く作成された議事録を容易に共有することができる。ＰＣ１は、自装置の音声パラメータに応じて、音声の品質を向上させる機能の使用を適切にユーザに促すことができる。従って、通信システム１００は、より品質が高い音声を用いて音声情報を記録することができる。
【００５３】
上記実施の形態において、ＰＣ１が本発明の「通信装置」に相当する。図３のＳ１およびＳ９で各ＰＣ１の音声パラメータを取得するＣＰＵ１０が「パラメータ取得手段」として機能する。図６のＳ３２〜Ｓ３８で記録用音声受信装置を選定するＣＰＵ１０が「選定手段」として機能する。ＰＣ１の「下り帯域」のパラメータが「受信伝送速度」に相当する。音声パラメータのうち、「雑音低減（送信）」におけるエコーキャンセラ有無およびノイズキャンセラ有無／低減性能のパラメータと、「雑音低減（受信）」におけるエコーキャンセラ有無およびノイズキャンセラ有無／低減性能のパラメータとが「雑音低減情報」に相当する。ＣＰＵクロック数のパラメータが「処理能力情報」に相当する。
【００５４】
図５のＳ２１で選定装置を決定するＣＰＵ１０が「決定手段」として機能する。図５のＳ２４で送信される選定指示情報が「第一指示情報」に相当する。図５のＳ２４で選定指示情報を送信するＣＰＵ１０が「第一指示送信手段」として機能する。図６のＳ４１で送信される議事録作成指示情報が「第二指示情報」に相当する。図６のＳ４１で議事録作成指示情報を送信するＣＰＵ１０が「第二指示送信手段」として機能する。図６のＳ４０で音声認識処理を行って議事録を作成するＣＰＵ１０が「議事録作成手段」として機能する。図３のＳ１８で他のＰＣ１に議事録のデータを送信するＣＰＵ１０が「議事録送信手段」として機能する。図３のＳ２〜Ｓ４で表示装置３４に勧告画面を表示させるＣＰＵ１０が「使用勧告手段」として機能する。図３のＳ１およびＳ９で各ＰＣ１の音声パラメータを取得する処理が「パラメータ取得ステップ」に相当する。図６のＳ３２〜Ｓ３８で記録用音声受信装置を選定する処理が「選定ステップ」に相当する。
【００５５】
本発明は上記実施の形態に限定されることはなく、様々な変形が可能であることは言うまでもない。以下、図８を参照して、上記実施の形態の一変形例について説明する。図８に示す変形例では、通信システム１００内のそれぞれのＰＣ１が、自装置を記録用音声受信装置とするか否かを判断することで、記録用音声受信装置が選定される。図８に示す会議処理は、記録用音声受信装置の選定方法が、上記実施の形態における会議処理（図３参照）と異なるのみである。よって、以下の変形例では、上記実施の形態と同一の構成および処理については同一の番号を付し、説明を省略または簡略化する。
【００５６】
図８に示すように、変形例に係る会議処理が開始されると、自装置の音声パラメータが取得される（Ｓ１）。取得された音声パラメータに応じて勧告画面が表示装置３４に表示される（Ｓ２〜４）。自装置を含むいずれかのＰＣ１が、通信システム１００に新たに接続したか否かが判断される（Ｓ８）。いずれかのＰＣ１が新たに通信システム１００に接続した場合には（Ｓ８：ＹＥＳ）、各ＰＣ１の音声パラメータが送受信される（Ｓ９）。遠隔会議が開始されるまで（Ｓ１４：ＮＯ）、Ｓ８の判断が繰り返される。
【００５７】
遠隔会議を開始させる指示が入力されると（Ｓ１４：ＹＥＳ）、通信システム１００内のＰＣ１のそれぞれにおいて、自装置を記録用音声受信装置とするか否かが判断される。まず、雑音低減性能が最も高いＰＣ１が、音声パラメータによって特定される（Ｓ６１）。特定されたＰＣ１が１つであれば（Ｓ６２：ＮＯ）、処理はそのままＳ６６へ移行する。特定されたＰＣ１が複数であれば（Ｓ６２：ＹＥＳ）、特定された複数のＰＣ１から、ＣＰＵクロック数が最も高いＰＣ１がさらに特定される（Ｓ６３）。特定されたＰＣ１が１つとなれば（Ｓ６４：ＮＯ）、処理はＳ６６へ移行する。特定されたＰＣ１が未だ複数であれば（Ｓ６４：ＹＥＳ）、特定された複数のＰＣ１から、受信帯域の最低値が最も高いＰＣ１がさらに特定される（Ｓ６５）。
【００５８】
次いで、特定されたＰＣ１が記録用音声受信装置に選定される（Ｓ６６）。自装置を記録用音声受信装置に選定したか否かが判断される（Ｓ６７）。自装置を選定していなければ（Ｓ６７：ＮＯ）、そのまま遠隔会議が実行される（Ｓ１６）。自装置を選定していれば（Ｓ６７：ＹＥＳ）、自装置が他のＰＣ１から受信する音声のデータ、および自装置のマイク３１から入力される音声のデータによって、議事録が作成される（Ｓ６８）。遠隔会議が終了すると、作成された議事録が、記録用音声受信装置から他のＰＣ１に配布されて（Ｓ１８）、処理は終了する。
【００５９】
以上説明したように、受信する音声の品質が所定よりも高いＰＣ１が自装置であるか否かを、通信システム１００内の複数のＰＣ１のそれぞれが判断することで、記録用音声受信装置を選定してもよい。上記変形例では、記録用音声受信装置を選定するための処理負担が、特定のＰＣ１にのみ集中することを防止しつつ、記録用音声受信装置を的確に選定することができる。上記変形例における図８のＳ６１〜Ｓ６７で、記録用音声受信装置が自装置であるか否かを判断するＣＰＵ１０が、「選定手段」として機能する。
【００６０】
上記実施の形態は、その他の変更も可能である。上記実施の形態では、ＰＣ１のデータ処理能力、受信帯域、および雑音低減性能の順に音声パラメータが参照されることで、記録用音声受信装置が選定される。しかし、上記変形例に示すように、音声パラメータを参照する順番は変更できる。さらに、参照するパラメータの数も変更できる。例えば、ＰＣ１は、データ処理能力、受信帯域、および雑音低減性能のいずれか１つのみを参照して記録用音声受信装置を選定してもよい。
【００６１】
上記実施の形態では、複数のＰＣ１のうち、受信する音声の品質が最も高い１つのＰＣ１が、記録用音声受信装置に選定される。しかし、選定装置は、複数のＰＣ１を記録用音声受信装置に選定してもよい。例えば、選定装置は、データ処理能力、受信帯域、および雑音低減性能の音声パラメータに所定の閾値を設定しておく。選定装置は、音声パラメータが閾値よりも高い１または複数のＰＣ１を、記録用音声受信装置に選定してもよい。選定装置は、受信する音声の品質が高い順に所定数のＰＣ１を記録用音声受信装置として選定してもよい。
【００６２】
ＰＣ１は、データ処理能力、受信帯域、および雑音低減性能以外の他の音声パラメータを参照して記録用音声受信装置を選定してもよい。例えば、音声データの送信元のＰＣ１にイヤホンが接続されていれば、受信する音声データにエコーが含まれる可能性は低い。従って、ＰＣ１は、送信元のＰＣ１にイヤホンが接続されているか否かを参照することで、受信する音声の品質が高いか否かを判断することもできる。ＰＣ１が備えるＨＤＤ１３等の記憶手段の記憶容量を、ＰＣ１のデータ処理能力を示す音声パラメータとして参照してもよい。ＰＣ１は、遠隔会議を実行する毎に他のＰＣ１の音声パラメータを取得する必要はない。例えば、ＰＣ１は、通信相手のＰＣ１との間で過去に遠隔会議を実行し、既に通信相手のＰＣ１の音声パラメータを取得していれば、既に取得している音声パラメータに基づいて処理を行ってもよい。
【００６３】
ＰＣ１は、自装置内で循環する間に増幅される音声のレベル（以下、「ループバック音声レベル」という。）を算出し、算出したループバック音声レベルを音声パラメータとして用いてもよい。例えば、ＣＰＵ１０は、ループバック音声レベルを算出するための基準音声をスピーカ３２から出力し、マイク３１に入力させる。ＣＰＵ１０は、スピーカ３２から出力する音声のデータから、マイク３１によって入力された基準音声の増幅率を算出する。基準音声の増幅率が高ければ、ループバック音声レベルが高いため、ＰＣ１が送信する音声データの品質は低下する。よって、ＰＣ１は、ループバック音声レベルを参照することで、記録用音声受信装置を的確に選定することができる。
【００６４】
上記実施の形態では、記録用音声受信装置として選定されたＰＣ１は、自装置が受信した音声データに対して音声認識処理を行い、テキストデータである議事録を作成する。しかし、記録用音声受信装置は、遠隔会議の内容をテキストデータで記録しなくてもよい。例えば、記録用音声受信装置は、自装置が受信した音声データをそのままＨＤＤ１３等に記憶することで、遠隔会議の内容を記録（録音）してもよい。記録用音声受信装置が受信する音声の品質は高いので、高品質の音声が録音される。よって、通信システム１００は、遠隔会議の内容を正確な音声で記録することができる。
【００６５】
遠隔会議の内容を記録する装置は、記録用音声受信装置である必要はない。例えば、記録用音声受信装置は、受信した音声データを他の録音機器に転送してもよい。音声データを転送された録音機器が、音声を録音してもよい。つまり、上記実施の形態のＰＣ１は、通信システム１００内の複数のＰＣ１の中で、最も品質が高い音声を受信することができるＰＣ１を、記録用音声受信装置として選定することができる。従って、記録用音声受信装置が受信する音声データを用いて遠隔会議の内容が記録されれば、いずれの装置が記録を行っても、遠隔会議の内容を正確に記録することができる。
【００６６】
通信システム１００内に、記録用音声受信装置を選定することができない通信装置が含まれていてもよい。ＰＣ１は、いずれのＰＣ１を記録用音声受信装置に選定したかをユーザに通知してもよい。ユーザが、通知された記録用音声受信装置を操作して、遠隔会議の内容の記録を開始させてもよい。
【符号の説明】
【００６７】
１    ＰＣ
１０    ＣＰＵ
１３    ＨＤＤ
３１    マイク
３２    スピーカ
３４    表示装置
１００    通信システム
【図１】
2011199327.tif 000003
【図２】
2011199327.tif 000004
【図３】
2011199327.tif 000005
【図４】
2011199327.tif 000006
【図５】
2011199327.tif 000007
【図６】
2011199327.tif 000008
【図７】
2011199327.tif 000009
【図８】
2011199327.tif 000010